(57)【要約】  膜を堆積、処理、又はエッチングするための装置及び方法が記載される。バッチ処理チャンバは複数の処理領域を含み、複数の処理領域は、少なくとも１つのプラズマ処理領域を含む。低周波バイアス生成器が、低周波バイアスを間欠的に印加するためにサセプタアセンブリに接続されており、堆積された膜への、指向性のある処理又はエッチングが行われる。【選択図】図１５
2021507517.tif 000002
【特許請求の範囲】
【請求項１】
処理チャンバであって、
上面及び中央軸を有するサセプタアセンブリであって、前記上面に載置された複数の基板が前記サセプタアセンブリの前記中央軸の周りで回転させられる、上面及び中央軸を有するサセプタアセンブリと、
複数の処理領域を含むガス分散アセンブリであって、各処理領域は、ガスカーテンによって隣り合う処理領域から分離され、前記処理領域の少なくとも１つは、主堆積生成周波数で作動する主堆積生成器を備えたプラズマ処理領域を含む、ガス分散アセンブリと、
前記サセプタアセンブリに低周波バイアスを印加するために、前記サセプタアセンブリに電気的に接続された低周波バイアス生成器と
を備えた、処理チャンバ。
【請求項２】
前記低周波バイアス生成器は周波数が約３２５ｋＨｚである、請求項１に記載の処理チャンバ。
【請求項３】
前記低周波バイアス生成器は、インタフェースボックスを通じて前記サセプタアセンブリに接続される、請求項１又は２に記載の処理チャンバ。
【請求項４】
前記インタフェースボックスは、前記サセプタアセンブリのＤＣ絶縁のためのＤＣ遮断コンデンサを含む、請求項３に記載の処理チャンバ。
【請求項５】
前記インタフェースボックスは、前記主堆積生成周波数の高調波を遮断するための少なくとも１つのＲＦフィルタを含む、請求項３に記載の処理チャンバ。
【請求項６】
前記インタフェースボックスは、低周波を上回る周波数を遮断するために少なくとも１つローパスフィルタを含む、請求項３に記載の処理チャンバ。
【請求項７】
前記主堆積生成周波数は約１３．５６ＭＨｚである、請求項１又は２に記載の処理チャンバ。
【請求項８】
前記プラズマ処理領域が遠隔プラズマを生成する、請求項１又は２に記載の処理チャンバ。
【請求項９】
前記プラズマ処理領域は、垂直プラズマ源を備え、前記垂直プラズマ源は、前記サセプタアセンブリの前記上面の上方に或る一定の距離を取って配置されたＲＦホット電極及びリターン電極を含む、請求項８に記載の処理チャンバ。
【請求項１０】
前記プラズマ処理領域が直流プラズマを生成する、請求項１又は２に記載の処理チャンバ。
【請求項１１】
前記主堆積生成器は、前記ガス分散アセンブリに電力を印加し、前記サセプタアセンブリは、リターン電極として作用し、前記主堆積生成器は、前記プラズマ処理領域内でプラズマを点火するために充分なエネルギーを加え、非プラズマ処理領域内でプラズマを点火しない、請求項１０に記載の処理チャンバ。
【請求項１２】
前記サセプタアセンブリ、前記ガス分散アセンブリ、前記主堆積生成器、及び前記低周波バイアス生成器に接続されており、前記サセプタアセンブリ、前記ガス分散アセンブリ、前記主堆積生成器、及び前記低周波バイアス生成器の機能を制御するためのコントローラをさらに備え、
前記コントローラは、前記処理チャンバの機能を制御するための１つ以上の構成を有し、前記１つ以上の構成は、前記サセプタアセンブリを前記中央軸の周りで回転させるための第１の構成と、前記処理領域のそれぞれへのガスの流れを制御するための第２の構成と、前記主堆積生成器への電力を制御するための第３の構成と、前記低周波バイアス生成器への電力を制御するための第４の構成と、から選択される、請求項１に記載の処理チャンバ。
【請求項１３】
層を堆積させる方法であって、
サセプタアセンブリの上面に少なくとも１つの基板を載置することと、
複数の処理領域へとガスの流れを供給することであって、各処理領域は、ガスカーテンによって隣り合う処理領域から分離され、前記複数の処理領域は、複数の熱処理領域を含み、前記複数の処理領域の少なくとも１つは、主堆積生成器が接続されているプラズマ処理領域である、複数の処理領域へとガスの流れを供給することと、
前記プラズマ処理領域内でプラズマを形成するために前記主堆積生成器に電力を供給することと、
前記サセプタアセンブリに電気的に接続された低周波バイアス生成器に電力を供給して、前記サセプタアセンブリに低周波バイアスを印加すること
を含む、方法。
【請求項１４】
前記低周波バイアスが前記サセプタアセンブリに印加されている間は、前記複数の熱処理領域への反応性ガスの流れを止めることを更に含む、請求項１３に記載の方法。
【請求項１５】
前記主堆積生成器は、約１３．５６ＭＨｚの主堆積周波数で作動し、前記低周波バイアスは周波数が約３２５ｋＨｚである、請求項１３又は１４に記載の方法。
【発明の詳細な説明】
【技術分野】
【０００１】
本開示の実施形態は、概して、基板を処理する装置に関する。より具体的には、本開示の実施形態は、バッチ処理チャンバにより膜を堆積させ、選択的にエッチングを施すための装置及び方法に関する。
【背景技術】
【０００２】
マイクロエレクトロニクス技術の進歩により、三次元（３Ｄ：ｔｈｒｅｅ−ｄｉｍｅｎｓｉｏｎａｌ）構造の暴露される表面を被覆するコンフォーマルな膜が必要とされている。ＳｉＯ、ＳｉＮ、及びＳｉＣＮといった誘電体膜の原子層堆積（ＡＬＤ：ａｔｏｍｉｃ  ｌａｙｅｒ  ｄｅｐｏｓｉｔｉｏｎ）の技術は、上記構造を後続の処理ステップから保護するための、ビア、コンタクトホール、トレンチ、及び３Ｄ  ＮＡＮＤの内部のコンフォーマルな被覆のための産業界の選択肢となっている。
【０００３】
ＡＬＤ膜では通常、水平面及び垂直面を被覆することが目指されているが、上記構造体の側壁を選択的に被覆して、上面及び底面、若しくは水平面を被覆しない状態に置くこと、又は反対に、水平面のみを被覆して側壁を被覆しないことが新たな関心となっている。
このような技術によって、後続のプロセスにおいて被覆されていない表面の下層の材料の選択的な変更が可能となり、その一方で、被覆されている平面が、材料又は限界寸法（ＣＤ：ｃｒｉｔｉｃａｌ  ｄｉｍｅｎｓｉｏｎ）の変化から護られる。例えば、エピタキシャルＳｉ又はＳｉＧｅより上方のコンタクトホール内での側壁の選択的堆積によって、底部のＳｉ又はＳｉＧｅのケイ素化が可能となり、その後に表面の酸化物除去が可能となるが、側壁は、これらのプロセスを通して保護されている。
【０００４】
現在では、側壁の堆積を達成するために、コンフォーマルなＡＬＤ膜が堆積され、続いて、その場でドライエッチング処理が施される。しかしながら、この処理フローについて幾つかの問題が確認されている。上記問題の中には、ドライエッチング処理が、底部の下層へのエッチングを防止するための終点制御が困難であることに起因する、プラズマ損傷を介した素子の劣化を引き起こすという事実がある。さらに、現在の処理では、当該処理を実現するために高価なエッチングツールが必要となる。
【０００５】
従って、当該技術分野では、更なる機器／ステップ及びコストを最小に抑える側壁の選択的堆積のための装置及び方法に対する必要性が存在する。
【発明の概要】
【０００６】
本開示の１つ以上の実施形態は、処理チャンバを対象とする。処理チャンバは、
上面及び中央軸を有するセプタアセンブリであって、上面に載置された複数の基板がサセプタアセンブリの中央軸の周りで回転させられる、上面及び中央軸を有するサセプタアセンブリと、
複数の処理領域を含むガス分散アセンブリであって、各処理領域は、ガスカーテンによって隣り合う処理領域から分離され、処理領域の少なくとも１つは、主堆積生成周波数で作動する主堆積生成器を備えたプラズマ処理領域を含む、ガス分散アセンブリと、
サセプタアセンブリに低周波バイアスを印加するために、サセプタアセンブリに電気的に接続された低周波バイアス生成器と
を備える。
【０００７】
本開示の追加的な実施形態は、膜を堆積させる方法を対象とする。本方法は、
サセプタアセンブリの上面に少なくとも１つの基板を載置することと、
複数の処理領域へとガスの流れを供給することであって、各処理領域は、ガスカーテンによって隣り合う処理領域から分離され、複数の処理領域は、複数の熱処理領域を含み、複数の処理領域の少なくとも１つは、主堆積生成器が接続されているプラズマ処理領域である、複数の処理領域へとガスの流れを供給することと、
プラズマ処理領域内でプラズマを形成するために主堆積生成器に電力を供給することと、
サセプタアセンブリに電気的に接続された低周波バイアス生成器に電力を供給して、サセプタアセンブリに低周波バイアスを印加すること
を含む。
【０００８】
本発明の更なる実施形態は、膜を堆積させる方法を対象とする。本方法は、
処理チャンバ内のサセプタアセンブリの上面に少なくとも１つの基板を載置することと、
第１の数の堆積サイクルに基板表面を暴露することであって、
各堆積サイクルは、
処理チャンバの第１の処理領域内で第１の反応性ガスに基板表面を暴露すること、
第１の処理領域からガスカーテンを通して第２の処理領域へと基板表面を移動させること、
第２の処理領域内で第２の反応性ガスに基板表面を暴露すること、
第２の処理領域からガスカーテンを通してプラズマ処理領域へと基板表面を移動させること、及び、
プラズマ処理領域内でプラズマ処理に基板表面を暴露すること
を含む、第１の数の堆積サイクルに基板表面を暴露することと、
第２の数の処理サイクルに基板表面を暴露することであって、
各処理サイクルは、
サセプタアセンブリに低周波バイアスを供給すること、及び
主堆積生成器により生成される主周波数のプラズマを用いて、バイアスプラズマ処理領域内で、バイアスプラズマ処理に基板表面を暴露することであって、低周波バイアスがサセプタアセンブリに印加される、バイアスプラズマ処理に基板表面を暴露すること
を含む、第２の数の処理サイクルに基板表面を暴露することと
を含む。
【０００９】
本開示の実施形態の上述の特徴を詳しく理解できるように、上記で簡単に要約されている本開示の実施形態のより詳細な説明が、実施形態を参照することによって得ることができる。そのうちの幾つかの実施形態は添付の図面に示されている。しかしながら、添付の図面は本開示の典型的な実施形態のみを示すものであり、したがって、本開示の範囲を限定するものと見なすべきではなく、本開示は他の等しく有効な実施形態も許容しうることに留意されたい。
【図面の簡単な説明】
【００１０】
【図１】本開示の１つ以上の実施形態に係る基板処理システムの概略的な断面図を示す。
【図２】本開示の１つ以上の実施形態に係る基板処理システムの斜視図を示す。
【図３】本開示の１つ以上の実施形態に係る基板処理システムの概略図を示す。
【図４】本開示の１つ以上の実施形態に係るガス分配アセンブリの前面の概略図を示す。
【図５】本開示の１つ以上の実施形態に係る処理チャンバの概略図を示す。
【図６】本開示の１つ以上の実施形態に係るプラズマ源アセンブリの概略的な断面図を示す。
【図７】本開示の１つ以上の実施形態に係るプラズマ源アセンブリの部分的な斜視図を示す。
【図８】本開示の１つ以上の実施形態に係るプラズマ源アセンブリの概略的な等角図を示す。
【図９】本開示の１つ以上の実施形態に係るプラズマ源アセンブリの概略的な底面図を示す。
【図１０】本開示の１つ以上の実施形態に係るプラズマ源アセンブリの概略的な側面図を示す。
【図１１】本開示の１つ以上の実施形態に係るプラズマ源アセンブリを備えた処理チャンバの部分的な等角図を示す。
【図１２】本開示の１つ以上の実施形態に係るプラズマ源アセンブリの電極の概略的な部分側方断面図を示す。
【図１３】本開示の１つ以上の実施形態に係るプラズマ源アセンブリの部分的な断面図を示す。
【図１４Ａ】本開示の１つ以上の実施形態に係るプラズマ源アセンブリの断面図を示す。
【図１４Ｂ】本開示の１つ以上の実施形態に係るプラズマ源アセンブリの側方断面図を示す。
【図１５】本開示の１つ以上の実施形態に係る処理チャンバの概略的な断面図を示す。
【図１６】本開示の１つ以上の実施形態に係るインタフェースボックスの概略図を示す。
【図１７】本開示の１つ以上の実施形態に係る装置を用いた例示的な処理方法を示す。
【発明を実施するための形態】
【００１１】
本開示の実施形態は、スループットを最大化し処理効率を改善する連続基板堆積のための基板処理システムを提供する。この基板処理システムは、堆積前及び堆積後の処理にも使用することが可能である。
【００１２】
本明細書および添付の特許請求の範囲では、「基板」および「ウエハ」という用語は共に、処理が行われる表面または表面の部分を指すために、交換可能に使用される。これも当業者には当然のことであるが、基板に対して言及がなされるとき、文脈上他のことが明示されない限り、基板の一部のみを指すこともありうる。さらに、基板上への堆積に対して言及がなされるとき、それは、ベア基板と、１つ以上の膜又はフィーチャが堆積又は形成された基板と、の両方を意味しうる。
【００１３】
本明細書及び添付の特許請求の範囲で使用される、「反応性ガス」、「前駆体」、「反応物」等の用語は、交互に使用され、基板表面と反応する種を含むガスを意味する。例えば、第１の「反応性ガス」は、単に基板の表面上に吸着され、第２の反応性ガスとのさらなる化学反応のために利用されうる。
【００１４】
本明細書及び添付の特許請求の範囲で使用される、「減少圧力」という用語は、約１００トル未満、又は約７５トル未満、又は約５０トル未満、又は約２５トル未満の圧力を意味する。例えば、約１トルから約２５トルの範囲内にあると規定される「中間圧力」は、減少圧力である。
【００１５】
数多くの用途について、回転プラテンチャンバが検討されている。このようなチャンバでは、１つ以上のウエハが、回転式ホルダー（「プラテン」）の上に置かれる。プラテンが回転するにつれて、ウエハは様々な処理領域の間を移動する。例えば、ＡＬＤでは、処理領域でウエハが前駆体及び反応物に曝露されることになる。さらに、プラズマ曝露は、反応物として使用されてもよく、又は、膜成長の強化又は膜特性の改質のために膜又は基板表面を処理するようために利用されうる。本開示の幾つかの実施形態は、回転プラテンＡＬＤチャンバ（ｒｏｔａｔｉｎｇ  ｐｌａｔｅｎ  ＡＬＤ  ｃｈａｍｂｅｒ）の利用時に、ＡＬＤ膜の均一な堆積及び後処理（例えば、高密度化）をもたらす。
【００１６】
回転プラテンＡＬＤチャンバは、従来の時間領域（ｔｉｍｅ−ｄｏｍａｉｎ）プロセス又は空間的ＡＬＤによって膜を堆積させることが可能である。時間領域プロセスでは、ウエハ全体が、第１のガスに曝露され、パージングされ、次いで、第２のガスに曝露される。空間的ＡＬＤでは、ウエハの一部が、第１のガスに曝露され、一部が第２のガスに曝露され、これらのガス流を通るウエハの移動により層が堆積される。
【００１７】
本明細書及び添付の特許請求の範囲において使用される場合、「パイ形状」及び「くさび形状」という用語は、円の扇形状体である本体を描写するために交換可能に使用される。例えば、くさび形状のセグメントは、円又はディスク状構造体の一片であってよく、複数のくさび形状のセグメントを繋いて１つの環状体を形成することが可能である。上記扇形状体は、円の２つの半径及びその間に延びる円弧により囲まれた円の一部として定義されうる。パイ形状のセグメントの内周端は尖っていてよく、又は平坦な端面となるよう先端が切れていてよく、又は丸みを帯びるように加工されてもよい。幾つかの実施形態では、上記扇形状体は、リング部又は環状体の一部として定義されうる。
【００１８】
基板の経路は、ガスポートに対して垂直であってもよい。幾つかの実施形態では、各ガス注入アセンブリは、基板が横断する経路に対して実質的に垂直な方向に延在する複数の細長いガスポートを備えており、ガスポートの前端は、プラテンに対して実質的に平行である。本明細書及び添付の特許請求の範囲において使用される場合、「実質的に垂直（ｓｕｂｓｔａｎｔｉａｌｌｙ  ｐｅｒｐｅｎｄｉｃｕｌａｒ）」という表現は、基板の移動の概略方向が、ガスポートからのガスの流れに対してほぼ垂直な（例えば、約４５°から９０°）平面に沿っていることを意味する。くさび形状のガスポートについて、ガスポートの細長い軸線は、くさび形状のガスポートの、内側端面（幅が狭い端面）から外側端面（幅がより広い端面）へのポートの長さに沿って延在するポートの幅の中間点として定義される線と見做されうる。
【００１９】
図１は、ガス分配アセンブリ１２０（注入器又は注入アセンブリとも称される）と、サセプタアセンブリ１４０と、を含む処理チャンバ１００の断面を示している。ガス分配アセンブリ１２０は、処理チャンバ内で用いられる任意の種類のガス供給装置である。ガス分配アセンブリ１２０は、サセプタアセンブリ１４０に対向する前面１２１を含む。前面１２１は、サセプタアセンブリ１４０に向けてガスの流れを伝達するための、任意の数の開口又は様々な開口を有しうる。ガス分配アセンブリ１２０は、図示されている実施形態では実質的に円形である外縁１２４も含む。
【００２０】
使用されるガス分配アセンブリ１２０の具体的な種類は、使用されている特定のプロセスに従って変わりうる。本開示の実施形態は、サセプタとガス分配アセンブリとの間の間隙が制御される、任意のタイプの処理システムと共に使用することが可能である。様々な種類のガス分配アセンブリ（例えばシャワーヘッド）を用いることが可能であるが、本開示の実施形態は、複数の実質的に平行なガスチャネルを有する空間的ＡＬＤガス分配アセンブリで特に有用でありうる。本明細書及び添付の特許請求の範囲において使用される場合、「実質的に平行（ｓｕｂｓｔａｎｔｉａｌｌｙ  ｐａｒａｌｌｅｌ）」という用語は、ガスチャネルの細長い軸が大体同じ方向に延在することを意味する。ガスチャネルの平行度は若干不完全であってもよい。複数の実質的に平行なガスチャネルは、少なくとも１つの第１の反応性ガスＡのチャネル、少なくとも１つの第２の反応性ガスＢのチャネル、少なくとも１つのパージガスＰのチャネル、及び／又は少なくとも１つの真空Ｖのチャネルを含みうる。第１反応性ガスＡのチャネル、第２反応性ガスＢのチャネル、及びパージガスＰのチャネルから流れるガスは、ウエハの上面に向けられる。ガス流の一部は、ウエハの表面に亘って水平に移動し、パージガスＰのチャネルを通って処理領域から出る。基板が、ガス分配アセンブリの一方の端部から他方の端部まで移動することで、処理ガスの各々に順に曝露され、基板表面に層が形成されることになる。
【００２１】
幾つかの実施形態では、ガス分配アセンブリ１２０は、単一の注入ユニットで作られた固定の定常物体である。１つ以上の実施形態において、ガス分配アセンブリ１２０は、図２に示すように、複数の個別扇形状体（例えば、複数の注入ユニット１２２）で構成される。単体の物体でも、又は複数の扇形状体で構成された物体でも、記載される本開示の様々な実施形態と共に利用されうる。
【００２２】
サセプタアセンブリ１４０は、ガス分配アセンブリ１２０の下方に配置される。サセプタアセンブリ１４０は、上面１４１と、上面１４１に設けられた少なくとも１つの凹部１４２と、を含む。サセプタアセンブリ１４０は、底面１４３及び縁部１４４も有する。凹部１４２は、処理される基板６０の形状及び大きさに従った任意の適切な形状及び大きさでありうる。図１に示す実施形態では、凹部１４２は、ウエハの底部を支持する平坦な底部を有しているが、凹部の底部は変わりうる。幾つかの実施形態では、凹部の外周端面の周りには、ウエハの外周端面を支持するよう大きさが定められた段差領域がある。段差によって支持されるウエハの外周端面の寸法は、例えば、ウエハの厚さと、ウエハの裏側に既にあるフィーチャの存在とに従って様々でありうる。
【００２３】
幾つかの実施形態では、図１に示すように、サセプタアセンブリ１４０の上面１４１に設けられた凹部１４２は、凹部１４２内で支持される基板６０が、サセプタ１４０の上面１４１と実質的に同一平面の上面６１を有するように、大きさが定められる。本明細書及び添付の特許請求の範囲で利用される場合、「ほぼ同一平面」という用語は、ウエハの上面とサセプタアセンブリの上面とが、±０．２ｍｍの範囲内で同一平面にあることを意味する。幾つかの実施形態では、上面同士が、±０．１５ｍｍ、±０．１０ｍｍ、又は±０．０５ｍｍの範囲内で同一平面にある。幾つかの実施形態の凹部１４２は、ウエハの内径（ＩＤ：ｉｎｎｅｒ  ｄｉａｍｅｔｅｒ）がサセプタの中心（回転軸）から約１７０ｍｍから約１８５ｍｍの範囲内に位置するように、ウエハを支持する。幾つかの実施形態では、凹部１４２は、ウエハの外径（ＯＤ：ｏｕｔｅｒ  ｄｉａｍｅｔｅｒ）がサセプタの中心（回転軸）から約４７０ｍｍから約４８５ｍｍの範囲内に位置するように、ウエハを支持する。
【００２４】
図１のサセプタアセンブリ１４０は、サセプタアセンブリ１４０を上昇させ、下降させ、かつ回転させることが可能な、支持ポスト１６０を含む。サセプタアセンブリは、支持ポスト１６０の中央内部に、ヒータ又はガスライン又は電気的構成要素を含みうる。支持ポスト１６０は、サセプタアセンブリ１４０とガス分配アセンブリ１２０との間の間隙を広げたり狭めたりしてサセプタアセンブリ１４０を適切な位置へと動かす主たる手段でありうる。サセプタアセンブリ１４０は、サセプタアセンブリ１４０とガス分配アセンブリ１２０との間に所定の間隙１７０を生じさせるためにサセプタアセンブリ１４０に対してマイクロ調整を行うことが可能な微調整アクチュエータ１６２も含みうる。幾つかの実施形態では、間隙１７０の距離は、約０．１ｍｍから約５．０ｍｍの範囲内、若しくは約０．１ｍｍから約３．０ｍｍの範囲内、若しくは約０．１ｍｍから約２．０ｍｍの範囲内、若しくは約０．２ｍｍから約１．８ｍｍの範囲内、若しくは約０．３ｍｍから約１．７ｍｍの範囲内、若しくは約０．４ｍｍから約１．６ｍｍの範囲内、若しくは約０．５ｍｍから約１．５ｍｍの範囲内、若しくは約０．６ｍｍから約１．４ｍｍの範囲内、若しくは約０．７ｍｍから約１．３ｍｍの範囲内、若しくは約０．８ｍｍから約１．２ｍｍの範囲内、若しくは約０．９ｍｍから約１．１ｍｍの範囲内であるか、又は、約１ｍｍである。
【００２５】
図に示す処理チャンバ１００は、サセプタアセンブリ１４０が複数の基板６０を保持することが可能なカルーセル型チャンバである。図２に示すように、ガス分配アセンブリ１２０は、複数の別体の注入ユニット１２２を含んでよく、各注入ユニット１２２は、ウエハが注入ユニットの下方で移動する際に、ウエハ上に膜を堆積させることが可能である。サセプタアセンブリ１４０の上方の、おおよそ対向している両側に配置された２個のパイ形状注入ユニット１２２が示されている。注入ユニット１２２の上記数は、例示のためにのみ示されている。より多く又はより少ない数の注入ユニット１２２が含まれうることが分かるであろう。幾つかの実施形態では、サセプタアセンブリ１４０の形状に従った形状を形成するのに十分な数のパイ形状注入ユニット１２２が存在する。幾つかの実施形態では、個別パイ形状注入ユニット１２２の各々が、他の注入ユニット１２２のいずれにも影響を与えることなく個別に動かされ、取り外され、及び／又は交換されうる。例えば、ロボットがサセプタアセンブリ１４０とガス分配アセンブリ１２０との間の領域にアクセスして、基板６０をロード／アンロードすることを可能にするために、１つのセグメントが上昇しうる。
【００２６】
複数のウエハが同じプロセスフローを経るようにこれらのウエハを同時に処理するために、複数のガス注入器を有する処理チャンバが使用されうる。例えば、図３に示すように、処理チャンバ１００は、４個のガス注入アセンブリ及び４個の基板６０を有する。処理開始時に、基板６０は、注入アセンブリ３０の間に配置されうる。サセプタアセンブリ１４０を４５度回転させた（１７）結果、ガス分配アセンブリ１２０の間にある各基板６０が、ガス分配アセンブリ１２０の下に点線円で示されているように、膜堆積のためにガス分配アセンブリ１２０のところに移動させられる。さらに４５°回転させると、基板６０は注入アセンブリ３０から離れるように移動するであろう。空間的ＡＬＤ注入器を用いると、注入アセンブリに対してウエハが移動している間、ウエハ上に膜が堆積される。幾つかの実施形態では、サセプタアセンブリ１４０は、基板６０がガス分配アセンブリ１２０の下で停止しないような増分で、回転させられる。基板６０の数とガス分配アセンブリ１２０の数は、同じであってもよく、又は異なっていてもよい。幾つかの実施形態では、ガス分配アセンブリと同じ数のウエハが処理される。１つ以上の実施形態では、処理されるウエハの数は、ガス分配アセンブリの数の分数または整数倍である。例えば、４個のガス分配アセンブリが存在する場合、処理されるウエハの数は４ｘとなり、ここでｘは、１以上の整数値である。
【００２７】
図３に示す処理チャンバ１００は、単に１つの可能な構成を表すものであり、本開示の範囲を限定すると見なされるべきではない。ここでは、処理チャンバ１００は複数のガス分配アセンブリ１２０を含む。図示している実施形態では、処理チャンバ１００の周りに均等に離間した４個のガス分配アセンブリ（注入アセンブリ３０とも言われる）が存在する。図示の処理チャンバ１００は八角形であるが、当業者であれば、これは１つの可能な形状であり、本開示の範囲を限定すると見なすべきではないことを理解されよう。図示されているガス分配アセンブリ１２０は台形であるが、単一の円形構成要素であってもよく、又は、図２に示すもののように、複数のパイ型セグメントで構成されてもよい。
【００２８】
図３に示す実施形態は、ロードロックチャンバ１８０、又は、バッファステーションのような補助チャンバを含む。上記チャンバ１８０は、例えば基板（基板６０とも称される）をチャンバ１００にロード／チャンバ１００からアンロードすることを可能にするために、処理チャンバ１００の１つの側面に接続されている。サセプタ上に基板を動かすために、チャンバ１８０内にウエハロボットが配置されうる。
【００２９】
カルーセル（例えば、サセプタアセンブリ１４０）の回転は、連続的であってもよく、又は非連続的であってもよい。連続処理においては、ウエハは、注入器の各々に順に曝露されるように常に回転している。非連続処理においては、ウエハを注入器の領域へと移動させて停止させ、次いで、注入器間の領域８４へと移動させて停止させることが可能である。例えば、カルーセルは、ウエハが注入器間領域から注入器を越えて移動し（又は、注入器に隣接して停止し）、そして次の注入器間領域へと移動し、そこでカルーセルが再度休止し得るように、回転することが可能である。注入器間で休止することにより、各層の堆積の間に追加の処理ステップ（例えば、プラズマへの曝露）のための時間が付与されうる。
【００３０】
図４は、注入ユニット１２２と称されうる、ガス分配アセンブリ２２０の一セクタ又は一部分を示している。注入ユニット１２２は、個別に使用してもよく、又は他の注入ユニットと組み合わせて使用してもよい。例えば、図５に示すように、図４の注入ユニット１２２が４つ組み合わされて、単一のガス分配アセンブリ２２０が形成される。（分かりやすくするために、４個の注入ユニットを分ける線は示されていない。）図４の注入ユニット１２２は、パージガスポート１５５及び真空ポート１４５に加えて、第１反応性ガスポート１２５と第２ガスポート１３５との両方を有するが、注入ユニット１２２に、これらの構成要素の全てが必要なわけではない。
【００３１】
図４と図５の両方を参照すると、１つ以上の実施形態に係るガス分配アセンブリ２２０は、複数のセクタ（又は注入ユニット１２２）を含んでよく、各セクタは全く同一であり又は異なっている。ガス分配アセンブリ２２０は、処理チャンバの中に配置されており、ガス分配アセンブリ２２０の前面１２１に複数の細長いガスポート１２５、１３５、１４５を備えている。複数の細長いガスポート１２５、１３５、１４５、及び真空ポート１５５は、内周端面１２３に隣接した領域から、ガス分配アセンブリ２２０の外周端面１２４に隣接した領域に向かって延在する。図示されている複数のガスポートは、第１反応性ガスポート１２５、第２反応性ガスポート１３５、第１反応性ガスポートと第２反応性ガスポートのそれぞれを取り囲む真空ポート１４５、及びパージガスポート１５５を含む。
【００３２】
図４又は図５に示す実施形態を参照すると、ポートは少なくとも内周領域周辺から少なくとも外周領域周辺まで延在すると述べていても、ポートが、単に内側領域から外側領域まで径方向に延在するだけではないことがある。ポートは、真空ポート１４５が反応性ガスポート１２５及び反応性ガスポート１３５を取り囲んでいることから、接線方向に延在しうる。図４及び図５に示す実施形態では、くさび形状の反応性ガスポート１２５、１３５は、内周領域及び外周領域に隣接する縁部を含む全ての縁部が、真空ポート１４５によって囲まれている。
【００３３】
図４を参照すると、基板が経路１２７に沿って移動するに際に、基板表面の各部分が様々な反応性ガスに曝露される。経路１２７を辿ると、基板は、パージガスポート１５５、真空ポート１４５、第１反応性ガスポート１２５、真空ポート１４５、パージガスポート１５５、真空ポート１４５、第２ガスポート１３５、そして真空ポート１４５に曝露され、又は、それらに「遭遇する（ｓｅｅ）」ことになる。ゆえに、図４に示す経路１２７の終わりには、基板は第１反応性ガス１２５及び第２反応性ガス１３５からのガス流に曝露されて、層が形成されている。図示される注入ユニット１２２は四分円をなしているが、より大きく又はより小さいものである可能性もある。図５に示すガス分配アセンブリ２２０は、順次接続された図４の４個の注入ユニット１２２を組み合わせたものと見做されうる。
【００３４】
図４の注入ユニット１２２では、複数の反応性ガスを分離させるガスカーテン１５０が示されている。「ガスカーテン（ｇａｓ  ｃｕｒｔａｉｎ）」という用語は、混合しないように反応性ガスを分離させるガス流又は真空の任意の組み合わせを説明するために使用される。図４に示すガスカーテン１５０は、真空ポート１４５の、第１反応性ガスポート１２５と隣り合った部分と、中間のパージガスポート１５５と、真空ポート１４５の、第２ガスポート１３５と隣り合った部分と、を含んでいる。このガス流と真空との組み合わせは、第１の反応性ガスと第２の反応性ガスとの気相反応を防止又は最小化するために利用されうる。
【００３５】
図５を参照すると、ガス分配アセンブリ２２０からのガス流と真空との組み合わせにより、複数の処理領域２５０への分離がもたらされる。処理領域は、２５０の間のガスカーテン１５０により、個々の反応性ガスポート１２５、１３５の周囲に大まかに画定される。図５に示す実施形態では、８つの別個の処理領域２５０が作られており、それらの間に８つの別個のガスカーテン１５０がある。処理チャンバは、少なくとも２つの処理領域を有しうる。幾つかの実施形態では、少なくとも３、４、５、６、７、８、９、１０、１１、又は１２個の処理領域が存在する。
【００３６】
処理中に、基板はどの時点においても１つより多くの処理領域２５０に暴露されうる。しかしながら、別々の処理領域に曝露される部分は、その２つを分離するガスカーテンを有することになる。例えば、基板の前端部が第２反応性ガスポート１３５を含む処理領域に入る場合、基板の中央部はガスカーテン１５０の下にあり、かつ、基板の後端部は第１反応性ガスポート１２５を含む処理領域内にあることになる。
【００３７】
処理チャンバ１００に接続された、例えばロードロックチャンバでありうるファクトリインターフェース２８０が図示されている。基準のフレームを提示するために、基板６０は、ガス分配アセンブリ２２０の上に重ね合わされて図示されている。基板６０は、多くの場合、サセプタアセンブリ上に置かれて、ガス分配アセンブリ１２０（ガス分配プレートとも呼ばれる）の前面１２１付近で保持されうる。基板６０は、ファクトリインターフェース２８０を介して、処理チャンバ１００の中へとロードされて、基板支持体又はサセプタアセンブリに載置される（図３参照）。基板６０は、当該基板６０が第１反応性ガスポート１２５の隣に配置され、かつ２つのガスカーテン１５０ａ、１５０ｂの間に配置されているため、処理領域内に配置された状態で示されうる。基板６０を経路１２７に沿って回転させることにより、この基板は、処理チャンバ１００をぐるりと反時計回りに移動することになる。従って、基板６０は、第１処理領域２５０ａから第８処理領域２５０ｈまでの処理領域に曝露される（第１から第８までの領域の間に全ての処理領域が含まれる）。基板６０は、図示されているガス分配アセンブリを用いて、処理チャンバを回る各サイクルに、第１反応性ガス及び第２反応性ガスの４つのＡＬＤサイクルに曝露される。
【００３８】
図５のようなバッチ処理装置における従来のＡＬＤシーケンスでは、空間的に分離された注入器からの化学物質Ａ及びＢの流れがそれぞれ維持され、それらの間にポンプ／パージセクションがある。この従来のＡＬＤシーケンスには、開始パターン及び終了パターンがあり、それゆえに堆積された膜が不均一となることがある。発明者らは、驚くべきことに、空間的ＡＬＤバッチ処理チャンバ内で実施される時間ベースのＡＬＤプロセスが、より均一性の高い膜を提供することを発見した。ガスＡへの曝露、反応性ガスがない状態、ガスＢへの曝露、反応性ガスがない状態という基本プロセスは、基板を注入器の下方でさっと動かし、基板を化学物質Ａと化学物質Ｂのそれぞれで浸して、膜に開始パターン及び終了パターンが形成されることを避けるためのものである。発明者らは、驚くべきことに、ターゲット膜厚が薄く（例えば２０ＡＬＤサイクル未満で）、開始・終了パターンがウエハ均一性性能に大きな影響を与える場合に、時間ベースの手法が特に有利であることを見出した。本発明の発明者は、本書で説明しているＳｉＣＮ、ＳｉＣＯ、及びＳｉＣＯＮの膜を創出する反応プロセスが、時間領域（ｔｉｍｅ−ｄｏｍａｉｎ）プロセスでは達成されない可能性があることも発見した。処理チャンバをパージするために必要な時間量が、基板表面からの材料の剥離をもたらす。記載された空間的ＡＬＤプロセスでは、ガスカーテンの下にある時間が短いため、この剥離は発生しない。
【００３９】
図６から図１４Ｂを参照しながら、本開示の１つ以上の実施形態は、モジュール型容量結合プラズマ源３００を対象とする。本明細書及び添付の特許請求の範囲で使用される場合、「モジュール型（ｍｏｄｕｌａｒ）」という用語は、プラズマ源３００を処理チャンバに取り付け又は処理チャンバから取り外すことができることを意味する。モジュール型の供給源は概して、一人で移動させ、取り外し、又は取り付けることが可能である。
【００４０】
図６は、本開示の１つ以上の実施形態に係るプラズマ源アセンブリ３００の断面を示している。図６に示されるプラズマ源アセンブリ３００は、ハウジング３１０を備え、ハウジング３１０は、ガス入口３１５及び前面３１２を含んでいる。ガス入口３１５によって、ガスの流れが、流路３１８に沿ってハウジング３１０を通って、前面３１２に設けられた開口３１３から出ることが可能となる。図示された実施形態では、説明のために中心から外れて描かれたガス入口３１５が示されているが、当業者は、ガス入口３１５がハウジング３１０内の中央に配置されていることが分かるであろう。さらに、幾つかの実施形態は、流路３１８を通るガス流の均一性を向上させるためのプレナム３１６を含む。幾つかの実施形態のプレナム３１６は、少なくとも部分的に誘電体で満たされており、プラズマのキャビティ（間隙３４０、３４０ｂ）に達することを可能とする複数の貫通孔及び／又はプレナムを有している。上記貫通孔及び／又はプレナムは、プラズマブレイクダウンを防止するために充分小さな寸法を有する。幾つかの実施形態では、上記貫通孔は、直径がおおよそ１ｍｍ未満、０．９５ｍｍ未満、０．９ｍｍ未満、０．８５ｍｍ未満、０．８ｍｍ未満、０．７５ｍｍ未満、０．７ｍｍ未満、０．６５ｍｍ未満、又は０．６ｍｍ未満である。
【００４１】
プラズマ源アセンブリ３００は、ＲＦホット電極３２０と、少なくとも１つのリターン電極３３０と、を含んでいる。リターン電極３３０は、ＲＦホット電極３２０と完全な回路を形成する任意の導電性材料である。当業者は、リターン電極３３０が、電子が流れるための経路を提供することが分かるであろう。このように使用される「リターン（ｒｅｔｕｒｎ）」という用語は、電極が、プラズマ成分の電気的経路の一部であり、電流又は電子の流れのための方向を暗示しないことを意味している。
【００４２】
図６から図８を参照すると、ＲＦホット電極３２０は、第１の表面３２２と、第１の表面３２２に対向する第２の表面３２４と、を有している。図６は、プラズマ源アセンブリ３００の断面図を示しており、図７及び図８は、電極の部分的な斜視図を示している。これに関して、第１の表面３２２と第２の表面３２４とは、ＲＦホット電極３２０の厚さＴの、対向する側面上に存在している。ＲＦホット電極３２０は概して、高さＨ、厚さＴ、及び長さＬを有する矩形の角柱状体として成形されている。ＲＦホット電極３２０は、流路３１８に対して実質的に平行に方向付けられた第１の表面３２２を有する。これに関して、「実質的に平行（ｓｕｂｓｔａｎｔｉａｌｌｙ  ｐａｒａｌｌｅｌ）」という用語は、上記表面が±１０oの範囲内で平行である（０oと定義される）ことを意味している。
【００４３】
リターン電極３３０は、ＲＦホット電極３２０と同様に成形されている。リターン電極は、流路３１８に対して実質的に平行に方向付けられた第１の表面３３２を有している。リターン電極３３０の第１の表面３３２は、ＲＦホット電極３２０の第１の表面３２２から離間しており、間隙３４０が形成される。
【００４４】
リターン電極３３０、３３０ｂは、アルミニウム、ステンレス鋼、及び銅を含む任意の適した材料でありうるが、これらに限定されない。リターン電極３３０、３３０ｂは、任意の適した電気的特徴を有しうる。幾つかの実施形態では、リターン電極３３０、３３０ｂは接地電極である。接地電極は、電気接地と接触する任意の適した導電性材料である。
【００４５】
幾つかの実施形態では、リターン電極３３０、３３０ｂは、ＲＦホット電極３２０とは異なる電力供給される電極である。このように使用される「ＲＦホット電極と異なる（ｄｉｆｆｅｒｅｎｔ  ｆｒｏｍ  ｔｈｅ  ＲＦホット電極）」とは、電気特性又は電位がＲＦホット電極とは異なることを意味している。例えば、生成されたプラズマの駆動電力は、位相調整器を用いて、単一の供給源からプッシュ−プル（ｐｕｓｈ−ｐｕｌｌ）形式で戻すことが可能であり、ウエハとの相互作用が最小に抑えられる。この種の実施形態では、ＲＦホット電極３２０は、例えば、リターン電極３３０の位相とは１８０oずれている。
【００４６】
図７に示すように、プラズマ源アセンブリの幾つかの実施形態は、第２のリターン電極３３０ｂをさらに含んでいる。第２のリターン電極３３０ｂは、流路３１８に対してほぼ平行に方向付けられた第１の表面３３２ｂを有する。第２のリターン電極３３０ｂの第１の表面３３２ｂは、間隙３４０ｂを形成するために、ＲＦホット電極３２０の第２の表面３２４から離間している。間隙３４０と間隙３４０ｂとは、同じ寸法であってよく又は異なる寸法であってもよい。幾つかの実施形態では、ＲＦホット電極源３２０とリターン電極３３０との間の間隙３４０、及び、ＲＦホット電極源３２０とリターン電極３３０ｂとの間の間隙３４０ｂは、約４ｍｍから約１５ｍｍの範囲内、若しくは約５ｍｍから約１４ｍｍの範囲内、若しくは約７ｍｍから約１３ｍｍの範囲内、若しくは約９ｍｍから約１２ｍｍの範囲内にあり、又は、約１１ｍｍである。
【００４７】
ＲＦホット電極３２０の厚さＴは、例えば、電極材料に従った任意の適切な厚さでありうる。幾つかの実施形態では、ＲＦホット電極の厚さは、約３ｍｍから約１１ｍｍの範囲内、若しくは約４ｍｍから約１０ｍｍ、若しくは約６ｍｍから約９ｍｍの範囲内にあり、又は約８ｍｍである。
【００４８】
電極３２０の高さＨは変更されうる。幾つかの実施形態では、電極３２０の高さＨは、約８ｍｍから約４０ｍｍの範囲、若しくは約９ｍｍから約３５ｍｍの範囲内、若しくは約１０ｍｍから３０ｍｍの範囲内、若しくは約１１ｍｍから約２５ｍｍの範囲内、若しくは約１２ｍｍから約２０ｍｍの範囲内、若しくは約１３ｍｍから約１５ｍｍの範囲内にあり、又は、約１４ｍｍである。
【００４９】
幾つかの実施形態において、プラズマ源アセンブリ３００のハウジング３１０は、くさび形状をしている。図９は、くさび形状のハウジング３１０を組み込まれた一実施形態を示している。図示するように、ＲＦホット電極３２０とリターン電極３３０とがハウジング３１０の主軸３０８に沿って延在する。このように使用される主軸３０８は、内周端面１２３を形成する円弧の中間と、外周端面１２４を形成する円弧の中間とを貫通する軸を指している。
【００５０】
ＲＦホット電極３２０とリターン電極３３０との空間は、主軸３０８に沿って実質的に同じであってよく、プラズマ源アセンブリは変わっていてもよい。例えば、幾つかの実施形態では、ＲＦホット電極とリターン電極とは、くさび形状のハウジング３１０の外周端面１２４では、内周端面１２３の近傍よりも離間している。
【００５１】
幾つかの実施形態は、ＲＦホット電極３２０の下方端３２９に隣接するクラッド３６０を含む。図１０を参照すると、ＲＦホット電極３２０が、２つのリターン電極３３０の間に図示されている。クラッド３６０によって、ＲＦホット電極３２０の下方端３２９が、基板６０及びサセプタアセンブリ１４０から分離されている。幾つかの実施形態では、クラッド３６０の存在が、ＲＦホット電極３２０のスパッタリングが基板６０を汚染することを防止又は最小化することを支援する。クラッド３６０は、限定するわけではないが、誘電体（例えばセラミック材料）を含む任意の適切な材料で作製されうる。クラッド３６０の大きさは、ＲＦホット電極３２０の下方端３２９を、基板６０のキャビティから動かすために調整されうる。幾つかの実施形態では、クラッド３６０の長さＬｓは、約１０ｍｍから約２５ｍｍの範囲内、若しくは約１３ｍｍから約２０ｍｍの範囲内にあり、又は約１７ｍｍである。
【００５２】
図１、図２、図８、及び図１１を参照しながら、本開示の幾つかの実施形態は、サセプタアセンブリ１４０及びガス分配アセンブリ１２０を含む処理チャンバ１００を対象とする。図１１は、本開示の１つ以上の実施形態に係る処理チャンバ１００の等角図を示している。サセプタアセンブリ１４０は、複数の基板６０を支持して中心軸１６１の周りで回転させる上面１４１を有する。
【００５３】
ガス分配アセンブリ１２０は、サセプタアセンブリ１４０の上面１４１に対向する前面１２１を有し、それにより、サセプタアセンブリ１４０の上面１４１に向けてガスの流れを方向付ける。幾つかの実施形態のガス分配アセンブリ１２０は、くさび形状のハウジング３１０を備えたプラズマ源アセンブリ３００を含んでいる。くさび形状のハウジングは、ハウジング３１０の主軸３０８を画定する内周端面１２３及び外周端面１２４を有している。ハウジング３１０は、第１の側面３７１と、第２の側面３７２と、ガス入口３１５と、前面３１２と、を有する。流路が、ガス入口３１５からハウジング３１０を通って前面３１２から流れ出るガスが辿る経路として定められる。
【００５４】
プラズマ源アセンブリ３００は、少なくとも１つのＲＦホット電極３２０を有し、少なくとも１つのＲＦホット電極３２０は、流路に対して実質的に平行に方向付けられた第１の表面３２２を含む。図示される実施形態では、３個のＲＦホット電極３２０が存在する。少なくとも１つのリターン電極３３０が、ハウジング３１０の内部に存在しており、流路に対して平行に方向付けられＲＦホット電極３２０の第１の表面３２２から離間する第１の表面３３２を有しており、間隙３４０が形成される。プラズマ源アセンブリ３００のくさび形状のハウジング３１０の前面３１２は、サセプタアセンブリ１４０の上面１４１から、約１ｍｍから約５ｍｍの範囲内、若しくは約１．５ｍｍから約４ｍｍの範囲内、又は約２ｍｍの距離を取って配置されている。図１５に示す実施形態は、プラズマ源アセンブリを備えた処理チャンバの一可能な構成を単に例示しており、本開示の範囲を制限するものとして見做されない。
【００５５】
図６に戻って参照すると、幾つかの実施形態は、ハウジング３１０を通る
同軸ＲＦ供給ライン３８０を含み、間隙３４０内でプラズマを生成するためにＲＦホット電極３２０のための電力を供給する。同軸ＲＦ供給ライン３８０は、絶縁体３８６によって分離された外側導体３８２及び内側導体３８４を含む。内側導体３８４は、ＲＦホット電極３２０と電気的に連通しており、外側導体３８２は、電気接地と電気的に連通しており又はＲＦホット電極とは異なる位相の電源（図示せず）である。本明細書及び添付の特許請求の範囲において使用される場合、「電気的に連通（ｅｌｅｃｔｒｉｃａｌ  ｃｏｍｍｕｎｉｃａｔｉｏｎ）」という用語は、構成要素同士が、直接的に接続されているか、又は中間構成要素を介して接続されており、電気抵抗が少ないことを意味する。内側導体３８４と外側導体３８２との間の間隙は誘電体で充填されうるが、誘電体は、セラミックであってもよいが任意の適切な誘電材料でありうる。
【００５６】
同軸ＲＦ供給ライン３８０は、外側導体３８２がリターン電極３３０で終端するように構成されうる。内側導体３８４は、ＲＦホット電極３２０で終端しうる。幾つかの実施形態では、ガス入口３１５が、同軸供給部の外周の周りのハウジングに供給される。ＲＦ供給部は、同軸伝送線の形態であってもよい。外側導体は、リターン電極に接続／終端されており、内側導体は、ＲＦホット電極に接続されている。リターン電極３３０は、限定するわけではないが、金属ガスケットを含む任意の適切な方法で金属製ハウジングに接続されうる。このことは、リターン電流の対称的な形態を確保するのに役立つ。すべてのリターン電流は、供給部の外側導体を昇流し、ＲＦノイズを最小に抑える。幾つかの実施形態では、ＲＦ供給部は、ＲＦホット電極への対称的なＲＦ供給電流、及び対称的なリターン電流を供給するよう設計されている。すべてのリターン電流は外側導体を昇流し、ＲＦノイズを最小に抑え、動作に対する供給源設置の影響を最小に抑える。
【００５７】
図６〜図８に示すような線形的なラジアルプラズマ源について、回転サセプタ（プラテン）を利用する任意の処理システムでは、プラズマ暴露（処理）が、ウエハの外径（ＯＤ：ｏｕｔｅｒ  ｄｉａｍｅｔｅｒ）と比較して、ウエハの内径（ＩＤ：ｉｎｎｅｒ  ｄｉａｍｅｔｅｒ）においてより大きい。同軸供給部がホット電極のほぼ中央に接続されたシステムでは、ＩＤでの暴露とＯＤでの暴露の差は約２．７倍でありうる。ここで、同軸供給部は、電極のほぼ中央でホット電極に接続されている。本接続構成は、ウエハのＩＤ及びＯＤにおける均一なプラズマ暴露を提供しえない。本開示の１つ以上の実施形態は、有利に、シンプルに線形的に設計されたプラズマ源を提供する。幾つかの実施形態は、有利に、高周波による、又は、ウエハのＩＤからＯＤまでプラズマフラックスが増大する非常に高い周波数による内径供給部を提供する。
【００５８】
図１１及び図１２を参照すると、垂直なプラズマ源（ＶＰＳ）は、ウエハのＩＤからＯＤへと延在してそれをさらに超えて延在する、電力供給される電極（ホット電極）及びリターン電極を備えた線形的なプラズマ源でありうる。ホット電極とリターン電極との間の間隙は、ＩＤからＯＤへの電極の長さに沿って実質的に均一でありうる。
【００５９】
幾つかの実施形態の電極は、金属汚染を最小に抑えるために誘電材料から作製された内側クラッド及び外側クラッドにより包まれている。「内側クラッド（ｉｎｎｅｒ  ｃｌａｄｄｉｎｇ）」は、ＲＦホット電極と関連するクラッドを指すために利用され、「外側クラッド（ｏｕｔｅｒ  ｃｌａｄｄｉｎｇ）」は、リターン電極と関連するクラッドを指すために利用されうる。間隙が、クラッドの底部と、ウエハ／ウエハにプラズマを暴露するサセプタと、の間で維持される。
【００６０】
概して、プラズマアセンブリ内で生成された電界（及びプラズマフラックス）は、ＲＦ供給部の近傍でもっとも大きく、ＲＦ供給部から遠ざかるほど電界強度が下がる。線形的な垂直プラズマ源では、最小の電界及びプラズマ密度が、驚くべきことにＲＦ供給部の下方で生じる。如何なる動作理論に束縛されることなく、このことは、ＲＦ電力の周波数により増大する電磁効果に因るものと考えられる。発明者らは、ＲＦ供給部をホット電極のＩＤ末端の方に向かって移動させることで、暴露の不均一性を補償しうるということを見出した。
【００６１】
電源３９０は、任意の適切な周波数で作動されうる。より高周波の電力によって、サセプタの回転に因るＩＤとＯＤとの間の異なる暴露を補償しうるプラズマ密度の変化を起こしうるということが分かっている。幾つかの実施形態では、電源３９０は、（２０〜３０ＭＨｚ）の高周波で、又は非常に高い周波数で（３０〜１００ＭＨｚ）作動される。幾つかの実施形態では、電源３９０は６０ＭＨｚで作動される。
【００６２】
図１１から図１３を参照しながら、本開示の１つ以上の実施形態は、プラズマ源３００を対象としている。プラズマ源アセンブリ３００は、図１３に示すようにハウジング３１０を含んでいる。幾つかの実施形態のハウジング３１０は、使用されることもある電源接続又はガス線接続を除いた、プラズマ源アセンブリの構成要素の全てを保持又は支持している。１つのハウジングに組み込むと、プラズマ源アセンブリはモジュールとなることが可能であり、即ち、当該アセンブリを移動させ、処理装置に追加し又は処理装置から取り外すことが可能となる。幾つかの実施形態のハウジング３１０はくさび形状をしており、図４又は図５に示すようなガス分配アセンブリ１２０にぴったりと合わせられる。ハウジング３１０はくさび形状でありうるが、プラズマがそこで形成されるプラズマキャビティ又は間隙の形状は、線形的でありうる。説明のため、図１１に示す実施形態ではハウジングが示されていない。
【００６３】
図１２は、幾つかの実施形態のプラズマ源アセンブリ３００の部分的な側方断面図を示している。ハウジング３１０は、図４及び図５に示すガス分配アセンブリ１２０に対して位置決めされうる内周端面１２３及び外周端面１２４を有している。図１３に示すように、ハウジング３１０は、ガス入口３１５を含みことが可能であり、ガス入口３１５は、当該ガス入口３１５からの流路３１８を形成し、ガスの流れがハウジング３１０を通って、プラズマ源アセンブリ３００の前面３１２に設けられた開口３１３から出ることを可能とする。前面３１２は、ハウジング３１０、ＲＦホット電極３２０、リターン電極３３０、又は、サセプタアセンブリから或る一定の距離を取って配置可能な任意の適切な材料によって形成されうる。幾つかの実施形態では、前面３１２は、別々の構成要素の組み合わせから形成され、結果的に材料の混合物となる。
【００６４】
プラズマ源アセンブリは、ＲＦホット電極３２０を備え、ＲＦホット電極３２０は、細長い本体３２１を有する。細長い本体３２１は、第１の表面３２２と、当該第１の表面３２２に対向する第２の表面３２４と、を含む。第１の表面３２２と第２の表面３２４とが、ＲＦホット電極３２０の幅を定める。幾つかの実装形態では、第１の面３２２と第２の表面３２４とは実質的に平行である。このように使用される「ほぼ平行（ｓｕｂｓｔａｎｔｉａｌｌｙ  ｐａｒａｌｌｅｌ）」という用語は、表面が、平行な状態の±１０o、±９o、±８o、±７o、±６o、±５o、±４o、±３o、±２o、又は±１oの範囲内にある主要平面を形成するということを意味している。幾つかの実施形態では、ＲＦホット電極３２０の幅は、約２ｍｍから約２０ｍｍの範囲内、若しくは約３ｍｍから約１５ｍｍの範囲内、若しくは約４ｍｍから約１０ｍｍの範囲内、若しくは約５ｍｍから約９ｍｍの範囲内、若しくは約６ｍｍから約８ｍｍの範囲内にあり、又は約７ｍｍである。
【００６５】
ＲＦホット電極３２０の細長い本体３２１は、内周端３２３と、外周端３２５とを有する。Ｒｆホット電極３２０の内周端３２３は、ハウジング３１０の内周端面１２３の近傍のハウジング３１０内に配置されている。Ｒｆホット電極３２０の外周端面３２５は、ハウジング３１０の外周端面１２４の近傍のハウジング３１０内に配置されている。内周端３２３と外周端３２５とが、ＲＦホット電極３２０の長さＬを定める。図１２に図示する実施形態は、ＲＦホット電極３２０と同じ長さを有するハウジング３１０を示している。これは単に可能な一構成を示しているにすぎず、本開示の範囲を限定するものとみなすべきではない。幾つかの実施形態のハウジングは、ＲＦホット電極の末端を超えて延びて、ＲＦホット電極の少なくとも一部の周りを包みうる。幾つかの実施形態のＲＦホット電極３２０の長さＬは、約１６０ｍｍから約４４０ｍｍの範囲内にある。ＲＦホット電極３２０の長さＬは、処理される基板の幅にわたるよう構成されうる。例えば、処理される基板は、直径が２００ｍｍのウエハである場合には、ＲＦホット電極の長さＬは、約１６０ｍｍから約４４０ｍｍの範囲内、又は約１８０ｍｍから約２２０ｍｍの範囲内、又は約１９０ｍｍから約２１０ｍｍの範囲内、又は、約１９５ｍｍから約２０５ｍｍの範囲内でありうる。処理される基板は、直径が３００ｍｍのウエハである場合には、ＲＦホット電極の長さＬは、約１６０ｍｍから約４４０ｍｍの範囲内、又は約２６０ｍｍから約４４０ｍｍの範囲内、又は約２８０ｍｍから約３２０ｍｍの範囲内、又は、約２９０ｍｍから約３１０ｍｍの範囲内、又は約２９５ｍｍから約３０５ｍｍの範囲内でありうる。
【００６６】
リターン電極３３０は、リターン電流が、ＲＦホット電極からの極性が逆の電圧を流し又は供給することを可能とするために適した任意の構成要素でありうる。「リターン電極（ｒｅｔｕｒｎ  ｅｌｅｃｔｒｏｄｅ）」という用語は、ＲＦホット電極との完全な回路を形成する電気的接続を表すために利用されており、電流や電子の流れの方向を暗示しているものとは見做されない。幾つかの実施形態のリターン電極３３０は、ハウジング３１０である。幾つかの実施形態では、リターン電極３３０は、ハウジング３１０内の別体の構成要素である。リターン電極３３０は、ハウジング３１０と同じ材料で作製されうるが、ハウジング３１０から電気的に絶縁させることが可能であり、又は、リターン電極３３０は、ハウジング３１０とは異なる材料で作製されうる。図示される実施形態において、リターン電極３３０は、ハウジング３１０とは異なる材料である。幾つかの実施形態のリターン電極３３０は、ハウジングの内周端面から外周端面へと延在する細長い本体を有している。リターン電極は、プラズマが形成されうる間隙３４０を設けるために、ＲＦホット電極３２０から離間している。
【００６７】
ＲＦ供給部３８０が、電源３９０をＲＦホット電極３２０に接続する。ＲＦ供給部３８０は、図６に示したもののように、同軸ＲＦ供給ラインでありうる。図１２に図示するように、ＲＦ供給部３８０は、ＲＦホット電極３２０の内周端面３２３から距離Ｄｅを取って、ＲＦホット電極に接続している。幾つかの実施形態の距離Ｄｅは、ＲＦホット電極３２０の長さＬの約２５％以下である。幾つかの実施形態では、距離Ｄｅは、ＲＦホット電極３２０の長さＬのおおよそ２０％、１５％、１０％、５％、４％、３％、２％、又は１％以下である。
【００６８】
図１３に図示するように、幾つかの実施形態において、ＲＦホット電極３２０は、当該ＲＦホット電極３２０が、基板又はサセプタアセンブリに直接的に暴露されないように配置されたＲＦホット電極クラッド３６０を有する。このように使用される「直接的に暴露されない（ｎｏｔ  ｅｘｐｏｓｅｄ  ｄｉｒｅｃｔｌｙ）」等の用語は、ＲＦホット電極３２０から出た原子が、真っすぐな経路を移動しえず、基板の表面に影響を与えられないことを意味している。図示される実施形態において、ＲＦホット電極クラッド３６０が、ＲＦホット電極３２０の暴露される全ての側面及び表面を包んでいる。幾つかの実施形態のＲＦホット電極クラッド３６０は、ケイ素又は酸化ケイ素の１つ以上を含む。幾つかの実施形態では、ＲＦホット電極クラッド３６０は石英を含み、又は実質的に石英から成る。幾つかの実施形態では、ＲＦホット電極クラッド３６０は、処理されるウエハ上の汚染としてスパッタされていない材料から作製される。ＲＦホット電極クラッド３６０の材料は、実施されるプロセス又は堆積に依存しうる。
【００６９】
幾つかの実施形態では、リターン電極３３０は、リターン電極クラッド３６１を含む。幾つかの実施形態のリターン電極クラッド３６１は、リターン電極３３０が基板又はサセプタ表面に直接的に暴露されないように配置されている。幾つかの実施形態では、リターン電極クラッド３６１は、ケイ素、酸化ケイ素、又は、酸化アルミニウムの１つ以上を含む。
【００７０】
幾つかの実施形態のリターン電極クラッド３６１は、ＲＦホット電極クラッド３６０とは異なる材料を含んでいる。幾つかの実施形態では、ＲＦホット電極クラッド３６０及びリターン電極クラッド３６１が同じ材料で作製される。幾つかの実施形態では、ＲＦホット電極クラッド３６０は石英を含み、リターン電極クラッドは酸化アルミニウムを含む。幾つかの実施形態では、リターン電極クラッド３６０は、実質的に石英から成り、及び／又は、リターン電極クラッドは、実質的に酸化アルミニウムから成る。このように使用される用語「実質的に〜から成る（ｃｏｎｓｉｓｔｓ  ｅｓｓｅｎｔｉａｌｌｙ  ｏｆ）」は、主たるクラッドの組成が、重量単位でおおよそ９５％、９８％、又は９９％以上が言及される材料であることを意味する。
【００７１】
ＲＦホット電極クラッド３６０及びリターン電極クラッド３６１は、プラズマ源アセンブリ３００の前面３１２を形成しうる。リターン電極クラッド３６０から基板６０までの距離Ｇｈは、リターン電極クラッド３６１から基板６０までの距離Ｇｒと同じであってよく又は異なっていてよい。
【００７２】
幾つかの実施形態のプラズマ源アセンブリ３００は、ＲＦホット電極３２０の内周端３２３で生成されるイオンフラックスが、ＲＦホット電極３２０の外周端３２５で生成されるイオンフラックスよりも少量であるプラズマを提供する。
【００７３】
本開示の追加的な実施形態は、基板を処理する方法を対象とする。基板６０が、ガス分配アセンブリ１２０の隣のサセプタアセンブリ１４０に配置されている。ガス分配アセンブリ１２０は、本開示の１つ以上の実施形態に係るプラズマ源アセンブリを含む。ガスが、ハウジング３１０のガス入口３１５を通って、ＲＦホット電極３２０とリターン電極３３０との間の間隙３４０に流し込まれる。ＲＦホット電極３２０は、間隙３４０においてプラズマを形成するために、内周端３２３から測定されたＲＦホット電極３２０の長さＬの２５％の範囲内に配置されたＲＦ供給部３８０を通じて、稼働させられる。プラズマがハウジング３１０の前面３１２から流れ出て、基板６０がこのプラズマに暴露される。
【００７４】
図１４Ａ及び図１４Ｂはそれぞれ、本開示の１つ以上の実施形態に係るプラズマ源アセンブリ３００の断面図及び底面図を示している。プラズマ源アセンブリ３００は、ＲＦホット電極３２０及びリターン電極３３０を含んでいる。図示される実施形態では、リターン電極３３０は、プラズマ源アセンブリ３００のハウジングである。Ｒｆホット電極は、誘電体３７０によってリターン電極３３０から隔離されている。同軸供給ラインの内側導体３８４が、外径端３２５に対して相対的に、内径端３２３の近傍でＲＦホット電極３２０に接続している。
【００７５】
図示される実施形態では、クラッド３６０が、ＲＦホット電極３２０の下方端３２９及び側方端３２８の周りを包んでいる。内径端３２３から外径端３２５へとＲＦホット電極３２０の長さに沿って、クラッド３６０が、ＲＦホット電極３２０と他の構成要素との間に直接的なラインが僅かにも存在しないように、ＲＦホット電極３２０を隣接する構成要素から護っている。
【００７６】
外側クラッド３６１が、当該外側クラッド３６１がリターン電極３３０と間隙３４０との間に存在するように、リターン電極３３０上に配置されている。図示するように、外側クラッド３６１は、リターン電極のスパッタリングを防止するために、リターン電極３３０の前部の周りを包みうる。
【００７７】
本開示の実施形態は、複数の処理領域２５０ａ〜２５０ｈを有し、各処理領域がガスカーテン１５０によって隣の領域から分離されている処理チャンバ１００を含む処理方法を対象とする。例えば、図５に処理チャンバが示されている。処理チャンバ内のガスカーテン及び処理領域の数は、ガス流の配設に従った任意の適切な数でありうる。図５に示す実施形態は、８個のガスカーテン１５０と、８個の処理領域２５０ａ〜２５０ｈと、を有する。ガスカーテンの数は概して、処理領域の数と等しく、又は当該数より大きい。例えば、領域２５０ａが反応性ガス流を全く有しておらず、単にロード用エリアの役割を果たしている場合、処理チャンバは７つの処理領域と、８つのガスカーテンを有することになる。
【００７８】
複数の基板６０が、図１及び図２に示すサセプタアセンブリ１４０などの基板支持体に載置されている。複数の基板６０は、処理ために、処理領域を回るように回転する。概して、ガスカーテン１５０は、チャンバに反応性ガスが流れ込まない期間を含めて、処理の間ずっと稼働している（ガスが流れ、真空はオンになっている）。
【００７９】
第１の反応性ガスＡが処理領域２５０のうちの１つ以上に流れ込んでいる間に、不活性ガスが、第１の反応性ガスＡが流れ込んでいない任意の処理領域２５０に流し込まれる。例えば、第１反応性ガスが処理領域２５０ｂから処理領域２５０ｈまでの処理領域に流れ込んでいる場合は、不活性ガスは、処理領域２５０ａに流れ込むであろう。不活性ガスは、第１反応性ガスポート１２５又は第２反応性ガスポート１３５を通じて流されうる。
【００８０】
処理領域内の不活性ガス流は一定であり又は変わりうる。幾つかの実施形態では、反応性ガスが不活性ガスと共流する。不活性ガスは、キャリアガス及び希釈ガスの役割を果たす。キャリアガスに対する反応性ガスの量が少ないため、共流することによって隣り合う領域間の圧力差が減少し、処理領域間のガス圧のバランスを取ることが容易になりうる。
【００８１】
幾つかの実施形態では、処理領域の少なくとも１つは、プラズマ源アセンブリを含んでいる。幾つかの実施形態は、電力供給されるプレート（ＲＦホット電極）とグループプレート（リターン電極）との間でプラズマが生成可能な遠隔プラズマ源を利用する。ガス種が上記プレート間を流れ、サセプタアセンブリの表面の隣でプラズマを形成するためにエネルギー供給される。プラズマは、実質的に上記供給源に閉じ込められており、上記電力供給されたプレートからのスパッタ材料がウエハ表面に達することが最小に抑えられる。幾つかの実施形態はまた、有利に、基板表面を実質的に変えないソフトプラズマを提供する。１つ以上の実施形態が、電気帰還路が基板を通ることを可能とせずにプラズマを生成しうる装置を提供する。本開示の幾つかの実施形態は、ガス分配アセンブリに追加し又はガス分配アセンブリから取り外すことが可能なモジュール型遠隔プラズマ源を提供する。遠隔プラズマ源は、基板、又は、電極としての基板支持体を利用することなくプラズマを生成する。
【００８２】
ＲＦホット電極（電力供給される電極）と（リターン電極と称される）接地プレートとの間の間隙は変更可能である。幾つかの実施形態では、間隙は、約３ｍｍから約１５ｍｍの範囲内にあり調整可能でありうる。ＲＦホット電極の幅は変更されうる。例えば、プレート同士の幅が、イオンを加速させるために狭くなりうる。利用時には、ＲＦホット電極とリターン電極との間の間隙を流れるガス種がイオン化される。その後、イオン化されたガス種が基板表面に接触しうる。幾つかの実施形態では、形成されたプラズマは、基板表面を実質的に変えないソフトプラズマである。
【００８３】
本開示の１つ以上の実施形態は、側壁の選択的堆積のプロセス及び方法を対象とする。幾つかの実施形態では、低周波（ＬＦ：ｌｏｗ−ｆｒｅｑｕｅｎｃｙ）バイアス性能によって、指向性のあるバイアスが、プラズマ原子層堆積（ＰＥ−ＡＬＤ：ｐｌａｓｍａ−ｅｎｈａｎｃｅｄ  ａｔｏｍｉｃ  ｌａｙｅｒ  ｄｅｐｏｓｉｔｉｏｎ）バッチ処理ツールに追加される。ＬＦバイアスをサセプタに印加することで、有利に、プラズマ中に生成したイオン及びラジカルの流れの指向性であって、水平面上の膜特性を選択的に変更する指向性を可能としうる。
コンフォーマルな膜の特性の形状的依存性により、後続の湿式エッチングプロセスの間に、著しい追加コストが掛かることなく、水平面の膜の選択的なエッチング（又は、選択的なエッチング公差）が可能となりうる。
幾つかの実施形態は、有利に、様々な用途のために膜特性を柔軟に最適化するプロセスウィンドウを開くために、その場でのＬＦバイアス性能を備えた装置を提供する。
【００８４】
図１５を参照して、本開示の幾つかの実施形態は、処理チャンバ５００を対象とする。処理チャンバ５００は、シャフト１６０の周りを回転する複数の基板６０を保持するための１つ（以上）のサセプタ１４０と、当該チャンバの底部に取り付けられたモータ１６３と、を含む。ウエハは、進行方向に複数のセル（ガスポート）を含む注入器（ガス分散アセンブリ１２０）に向かって上方に向いている。各セルのガス流は、独立した質量流量コントローラ（ＭＦＣ：ｍａｓｓ  ｆｌｏｗ  ｃｏｎｔｒｏｌｌｅｒ）によって別々に制御されうる。各セルは、不活性ガス（例えば窒素）の流れのカーテンによって分離されており、従って、様々なセルからのガスが混ざることが防止される。サセプタを回転させることで、ウエハが、ＡＬＤサイクルを確立するための複数の前駆体（ガス）に順々に暴露される。バッチ処理システム内のセルの幾つかは、ＲＦ生成器５１０及び整合回路５１２を加えることで、無線周波数（ＲＦ：ｒａｄｉｏ−ｆｒｅｑｕｅｎｃｙ）プラズマ処理領域として構成されうる。堆積中にプラズマ暴露を加えることは、膜特性を変更するために有用でありえ、又は、膜の品質を改良し若しくは意図的に膜の一部の品質を下げるために有用でありうる。ガス分散アセンブリ１２０は、（図５で示したように）複数の処理領域を含む。各処理領域は、ガスカーテンによって隣り合う処理領域から分離されており、処理領域のうちの少なくとも１つは、プラズマ処理領域５２５である。図５に示す断面図には、処理チャンバの対向する側に位置する２つのプラズマ処理領域５２５が含まれている。例えば、図５での命名を参照すると、第４の処理領域２５０ｄと第８の処理領域２５０ｈとは、プラズマ処理領域でありうるが、他の処理領域は、熱処理領域と称される。「熱処理領域（ｔｈｅｒｍａｌ  ｐｒｏｃｅｓｓｉｎｇ  ｒｅｇｉｏｎ）」という用語の利用は、単に、その領域内にプラズマが存在しないことを意味しており、温度は暗示されていない。プラズマ処理領域５２５は、ガスカーテンによって繋がれた、ガスポートを備えるガス分散アセンブリ１２０のくさび形状のセクタを含んでいる。
【００８５】
主堆積生成器５１０が、整合回路５１２を通じてプラズマ処理領域５２５に接続されている。幾つかの実施形態による主堆積生成器５１０は、主堆積生成周波数で作動する。幾つかの実施形態による主堆積生成周波数は、２ＭＨｚ以上である。幾つかの実施形態では、主堆積生成周波数はおおよそ１３．５６ＭＨｚ、４０ＭＨｚ、６０ＭＨｚ、又は１００ＭＨｚである。幾つかの実施形態では、主堆積生成器５１０が、ガス分散アセンブリ１２０に電力を印加し、サセプタアセンブリ１４０が、リターン電極として作用する。主堆積生成器５１０は、プラズマ処理領域５２５内でプラズマを点火するために充分なエネルギーを加え、非プラズマ処理領域（即ち、熱処理領域）内でプラズマを点火しないよう構成されうる。
【００８６】
主堆積生成器５１０に加えて、第２の「低周波」バイアス生成器５４０が、サセプタアセンブリ１４０に電気的に接続されうる。幾つかの実施形態では、低周波バイアス生成器５４０は、インタフェースボックス５５０を通じてサセプタアセンブリ１４０に接続されている。低周波バイアス生成器５４０は、サセプタアセンブリ１２０に低周波バイアスを印加するために、サセプタアセンブリ１２０に電気的に接続されている。低周波バイアスは、任意の適切な低周波でありうる。幾つかの実施形態では、低周波バイアスはおおよそ２ＭＨｚ、１ＭＨｚ、又は５００ｋＨｚ以下である。幾つかの実施形態では、低周波バイアス生成器は、約３２５ｋＨｚの周波数で作動する。
【００８７】
幾つかの実施形態では、図１５に示すように、低周波バイアス生成器５４０が、インタフェースボックス５５０を通じてサセプタアセンブリ１２０に接続されている。インタフェース５５０の機能を、図１６に関連して説明する。当業者は、記載されている機能及び構成要素の全てが含まれなくてよく、又は、追加的な構成要素及び機能が含まれうることが分かるであろう。図示される実施形態は単に可能な一構成を表している。インタフェースボックス５５０は、ＤＣ遮断コンデンサ５５１を備えた、サセプタのＤＣ絶縁部を含みうる。幾つかの実施形態では、ＲＦフィルタ５５２ａ、５５２ｂを組み込むことが可能であり、主たる生成器ＲＦの主な高調波周波数、並びに、第２（及び、想定される第３）の高調波周波数のそれぞれが遮断される。２つのＲＦフィルタが図示されているが、例えば、遮断すべき高調波周波数の数に従って、２つより多く又は２つより少ないフィルタを含みうる。幾つかの実施形態では、追加的なローパスフィルタ５５３が、低バイアス周波数を上回るＲＦ電力を遮断する。幾つかの実施形態では、サセプタＤＣ電圧（Ｖｄｃ）のための読出回路５５４、及び、低周波バイアス電圧（Ｖｒｍｓ）５５５のための読出回路が、入力／出力装置５９９（例えば、コンピュータのモニタ）に出力されうる。
【００８８】
主周波数生成器５１０の入力電力は、チャンバ内でプラズマを生成するために利用される。低周波バイアス生成器５４０からの第２の周波数であって、主周波数よりも遥かに低い第２の周波数（例えば、３２５ｋＨｚ対１３．５６ＭＨｚ）によって、イオン、ラジカルといった、プラズマ中で生成される生成物の流れの指向性が高められる。幾つかの実施形態では、低周波バイアス生成器の周波数及び電力が、ウエハの水平面に達するイオン及びラジカルのエネルギー又は数を増大させるが、垂直面では一定に保ち又は減少させるよう設定される。これにより、１つの連続的な膜の様々な特性の創出が、三次元構造におけるその表面に従って、プラズマ処理を形状的に変更することで可能となりうる。
【００８９】
処理チャンバ５００は、コントローラ５９５を有する。コントローラ５９５を設けて処理チャンバ５００の様々な構成要素に接続させて、それらの動作を制御しうる。コントローラ５９５は、処理チャンバ５００全体を制御する単一のコントローラ、又は、処理チャンバ５００の個々の部分を制御する複数のコントローラでありうる。幾つかの実施形態では、コントローラ５９５は、中央処理装置（ＣＰＵ：ｃｅｎｔｒａｌ  ｐｒｏｃｅｓｓｉｎｇ  ｕｎｉｔ）５９６、メモリ５９７、サポート回路５９８、及び入力部／出力部（Ｉ／Ｏ）５９９を含む。コントローラ５９５は、直接的に、又は、特定の処理チャンバ及び／又は支援システムの構成要素と関連付けられたコンピュータ（若しくはコントローラ）を介して、処理チャンバ５００を制御しうる。コントローラ５９５は、様々なチャンバ及びサブプロセッサを制御するための工業環境で使用されうる任意の形態の汎用コンピュータプロセッサのうちの１つでありうる。コントローラ５９５のメモリ又はコンピュータ可読媒体５９７は、ランダムアクセスメモリ（ＲＡＭ：ｒａｎｄｏｍ  ａｃｃｅｓｓ  ｍｅｍｏｒｙ）、読取り専用メモリ（ＲＯＭ：ｒｅａｄ  ｏｎｌｙ  ｍｅｍｏｒｙ）、フロッピーディスク、ハードディスク、光記憶媒体（例えば、コンパクトディスク若しくはデジタルビデオディスク）、フラッシュドライブ、又はローカル若しくは遠隔の任意の他の形態のデジタルストレージなど、容易に入手可能なメモリのうちの１つ以上としうる。サポート回路５９８は、従来のやり方でプロセッサをサポートするためにＣＰＵ   ５９６に接続されている。上記回路は、キャッシュ、電力供給部、クロック回路、入出力回路、及びサブシステムなどを含む。１つ以上の処理が、本明細書に記載のやり方で処理チャンバ５００又は個別の処理チャンバの動作を制御するために実行され又は呼び出されうるソフトウェアルーチンとして、メモリ５９７に格納されうる。ソフトウェアルーチンは、ＣＰＵ５９６によって制御されるハードウェアから遠隔に位置付けられた第２のＣＰＵ（図示せず）によっても、格納及び／又は実行されうる。入力部／出力部５９９は、キーボード、コンピュータマウス、ディスプレイ及び／又はプリンタを含むことが可能である。
【００９０】
幾つかの実施形態では、コントローラ５９５が、サセプタアセンブリ１４０及びガス分配アセンブリ１２０に接続されている。幾つかの実施形態のコントローラ５９５は、様々な機能及びプロセスを制御するための１つ以上の構成を有する。幾つかの実施形態では、コントローラ５９５は、主堆積生成器５１０及び低周波バイアス生成器５４０にも接続されており、これらの機能を制御する。幾つかの実施形態では、上記構成は、中央軸の周りでサセプタアセンブリを回転させるための第１の構成と、処理領域のそれぞれへのガスの流れを制御するための第２の構成と、主堆積生成器への電力を制御するための第３の構成と、低周波バイアス生成器への電力を制御するための第４の構成と、から選択される。
【００９１】
本開示の１つ以上の実施形態は、３Ｄ構造の側壁に誘電体膜を選択的に堆積させる方法を対象とする。バイアスハードウェア設定によって、指向性のあるプラズマ処理を可能としうる。幾つかの実施形態は、プラズマ処理中のガス組成を変更することによる水平面の選択的堆積を対象とする。
【００９２】
図１５及び図１７を参照しながら、本開示の幾つかの実施形態は、膜を堆積させる方法６００を対象とする。少なくとも１つの基板が、サセプタアセンブリの上面に載置される。基板６１０は、少なくとも１つのフューチャー６１４が形成された表面６１２を有する。フューチャー６１４は、表面６１２から底部６１６へと、或る一定の深さで延在しており、側壁６１８を有する。フューチャーの幅は、任意の適切な幅であってよく、フューチャーの深さは、任意の適切な深さであってよい。
【００９３】
ガスの流れが、処理チャンバ内の複数の処理領域へと供給される。電力が主堆積生成器５１０に供給されて、プラズマ処理領域５２５内でプラズマが形成される。低周波バイアス生成器５４０に電力供給されて、サセプタアセンブリ１４０に低周波バイアスが供給される。幾つかの実施形態では、低周波バイアスがサセプタアセンブリ１４０に印加されている間は、熱処理領域への反応性ガスの流れが止められる。
【００９４】
基板表面は、第１の数の堆積サイクルに暴露され、続いて、第２の数の処理サイクルに暴露されうる。各堆積サイクルは、処理チャンバの第１の処理領域内で第１の反応性ガスに基板表面を暴露することと、第１の処理領域からガスカーテンを通して第２の処理領域へと基板表面を移動させることと、第２の処理領域内で第２の反応性ガスに基板表面を暴露することと、第２の処理領域からガスカーテンを通してプラズマ処理領域へと基板表面を移動させることと、プラズマ処理領域内で基板表面をプラズマ処理に暴露することを含む。各処理サイクルは、サセプタアセンブリに低周波バイアスを供給することと、バイアスプラズマ処理領域内で、主堆積生成器により生成された主周波数のプラズマを用いるバイアスプラズマ処理領域内で基板表面を暴露することであって、低周波バイアスがサセプタアセンブリに印加される、バイアスプラズマ処理領域内で基板表面を暴露することを含む。幾つかの実施形態では、処理サイクルは、第１の処理領域の第１の反応性ガスの流れと、第２の処理領域内の第２の反応性ガスの流れと、を止めることを更に含む。幾つかの実施形態では、バイアスプラズマ処理領域は、プラズマ処理領域と同じである。
【００９５】
堆積サイクルの第１の数は、任意の適切な数でありうる。幾つかの実施形態では、堆積サイクルの第１の数は、おおよそ１からおおよそ５００の範囲内、又はおおよそ１０からおおよそ２５０の範囲内にある。幾つかの実施形態では、堆積サイクルの第１の数はおおよそ１００である。処理サイクルの第２の数は、おおよそ１からおおよそ５０の範囲内でありうる。幾つかの実施形態では、１つの処理サイクルのみが堆積サイクルの数に従って利用される。
【００９６】
図５及び図１６を参照しながら、例示的なプロセスを説明する。第１の処理領域２５０ａ及び第５の処理領域２５０ｅが、第１の反応性ガスを伝達するよう構成される。第２の処理領域２５０ｂ及び第６の処理領域２５０ｆが、第２の反応性ガスを伝達するよう構成される。第３の処理領域２５０ｃ及び第７の処理領域２５０ｇが、パージガスを伝達するよう構成される。第４の処理領域２５０ｄ及び第８の処理領域２５０ｈが、主堆積生成器５１０によるプラズマ処理により構成される。基板が、サセプタアセンブリの中心軸の周りを回転させられ、基板が、当該基板の上面、フィーチャの側壁及び底部に膜６２０を堆積させるための複数のサイクルに暴露される。
【００９７】
第１の処理領域２５０ａ、第２の処理領域２５０ｂ、第５の処理領域２５０ｅ、及び第６の処理領域２５０ｆへの反応性ガスの流れが止められて、パージガスが流されうる。パージバスを、これらの（又は他の）区域に一定に流すことが可能であり、反応性ガスがパージバスの流れに加えられる。低周波バイアスをサセプタアセンブリ１４０に印加するために、低周波バイアス生成器５４０に電力供給することが可能であり、基板が少なくとも１つの処理サイクルに暴露されうる。１つの処理サイクルが、プラズマ処理領域への１回の暴露であり、処理チャンバを回る完全なサイクルではない。完全なサイクルであれば、２回の暴露であろう。処理プロセスによって、基板表面６１２及びフューチャー６１４の底部６１６から膜６２０が除去され、フューチャー６１４の側壁６１８の膜６２０は残される。処理プラズマの組成は、堆積プラズマの組成と同じであってよく又は異なっていてよい。幾つかの実施形態では、処理プラズマの組成は、Ａｒ、Ｈｅ、Ｎ２、Ｈ２、又はＮＨ３の１つ以上を含む。幾つかの実施形態では、処理プラズマの組成は、堆積プラズマの組成とは異なっている。
【００９８】
実施例
【００９９】
基準点（ＰＯＲ：ｐｏｉｎｔ  ｏｆ  ｒｅｆｅｒｅｎｃｅ）のサンプルが、４００AまでのＳｉＮの連続的な膜堆積により、バイアスを印加することなく作成された。処理された（Ｔｒｔ）サンプルは、５Aまでの（バイアス有り又はバイアス無しの）ＳｉＮ膜堆積ステップと、バイアスを印加する処理ステップと、から成る５０回のループに掛けられた。上記の堆積ステップ及び処理ステップは、同じチャンバにおいて、堆積ステップの間のＡｒ／Ｎ２からの混合ガスから、処理の間のＡｒ／ＮＨ３へと切り替えることにより連続的に行われた。
【０１００】
理論に束縛されることなく、処理プロセスが膜へのプラズマ損傷を誘発しそのエッチング速度（ＥＲ：ｅｔｃｈ  ｒａｔｅ）を上げると考えられる。バイアスを印加することによりプラズマ処理の指向性が高められ、これにより、三次元構造における頂部及び底部の膜が、後続のエッチングプロセスよって、上記構造の側壁の膜よりも簡単に除去され、側壁上の膜が選択的に残される。プラズマ処理の効率を最大化するために、プラズマ処理が、堆積中に周期的に適用された。処理の周波数（又は各堆積ステップ間の膜厚）は、典型的に数十オングストロームの、プラズマの侵入深さによって決定されうる。
【０１０１】
処理された膜の湿式エッチング速度（１：１００で希釈されたＨＦ）（ＷＥＲ：ｗｅｔ  ｅｔｃｈ  ｒａｔｅ）（ＰＯＲ膜の湿式エッチング速度に正規化されている）が、評価された。バイアス電力が増大するにつれて、処理される膜のＷＥＲが急速に上がり、ＰＯＲサンプルのＷＥＲの４０倍（４０ｘ）より高いＷＥＲに達した。ＷＥＲは約５０Ｗを上回る電力において限界に達したようにみえたが、処理の信頼性にとっては有用でありうる。
【０１０２】
堆積−処理ＳｉＮ膜が、アスペクト比（ＡＲ：ａｓｐｅｃｔ  ｒａｔｉｏ）が４〜５：１のフューチャーを含む構造化されたウエハ上で加工処理された。ＴＥＭ画像により、処理されたサンプルにおいて、上記構造がＳｉＮ膜により均一に被覆されていることが示された。上記構造の側壁上の膜は、１分間のエッチング後に選択的に残されたが、上記構造の頂部及び底部の膜はエッチングにより除去された。
【０１０３】
側壁の選択的堆積プロセスが、堆積ステップ及び処理ステップの間のガス組成を変更することで、選択的な「水平面堆積（ｈｏｒｉｚｏｎｔａｌ  ｐｌａｎｅ  ｄｅｐｏｓｉｔｉｏｎ）」にまで拡大された。Ａｒ／ＮＨ３プラズマが堆積プロセス中に利用され、低品質の（ＷＥＲが高い）膜がもたらされた。処理パートの間、膜がＡｒ／Ｎ２プラズマを用いて、ＬＦバイアスを印加することで処理された。Ａｒ／Ｎ２処理によって膜特性が改善され（ＷＥＲは低い）、結果として、後続の湿式エッチングプロセスの後で、ＳｉＮ膜が選択的に水平面上に残された。処理サイクルが、約５Aの堆積後に実施された。
【０１０４】
１つ以上の実施形態によれば、基板は、層の形成に先立って及び／又は層の形成の後で処理が施される。この処理は、同一のチャンバ内で、又は１つ以上の別々の処理チャンバ内で実施されうる。幾つかの実施形態では、基板が、第１のチャンバから、更なる処理のために別個の第２のチャンバに移動させられる。基板は、第１のチャンバから別個の処理チャンバへと直接的に移動させることが可能であり、又は、第１のチャンバから１つ以上の移送チャンバへと移動させ、次いで別個の処理チャンバへと移動させることが可能である。従って、処理装置は、移送ステーションに通じている複数のチャンバを備えうる。この種の装置は「クラスタツール（ｃｌｕｓｔｅｒ  ｔｏｏｌ）」又は「クラスタシステム（ｃｌｕｓｔｅｒｅｄ  ｓｙｓｔｅｍ）」等と称されうる。
【０１０５】
クラスタツールは概して、基板の中心検出及び配向、ガス抜き、アニール処理、堆積、及び／又はエッチングを含む様々な機能を実行する、複数のチャンバを備えたモジュールシステムである。１つ以上の実施形態によれば、クラスタツールは、少なくとも第１のチャンバ及び中央移送チャンバを含む。中央移送チャンバは、複数の処理チャンバ及び複数のロードロックチャンバの間で基板を往復搬送することが可能なロボットを収納しうる。移送チャンバは典型的に、真空条件で維持されており、基板を、１のチャンバから、他のチャンバ及び／又はクラスタツールの前端に配置されたロードロックチャンバへと往復搬送するための中間ステージを提供する。本開示のために適合されうる２つのよく知られたクラスタツールが、Ｃｅｎｔｕｒａ（登録商標）及びＥｎｄｕｒａ（登録商標）であり、両方とも、カリフォルニア州サンタクララのアプライドマテリアルズ社（Ａｐｐｌｉｅｄ  Ｍａｔｅｒｉａｌｓ，Ｉｎｃ．）から入手可能である。しかしながら、チャンバの実際の配置及び組合せは、本明細書に記載のプロセスの特定のステップを実施するために変更されうる。利用可能な他の処理チャンバには、限定されないが、周期的層堆積（ＣＬＤ：ｃｙｃｌｉｃａｌ  ｌａｙｅｒ  ｄｅｐｏｓｉｔｉｏｎ）、原子層堆積（ＡＬＤ：ａｔｏｍｉｃ  ｌａｙｅｒ  ｄｅｐｏｓｉｔｉｏｎ）、化学気相堆積（ＣＶＤ：ｃｈｅｍｉｃａｌ  ｖａｐｏｒ  ｄｅｐｏｓｉｔｉｏｎ）、物理的気相堆積（ＰＶＤ：ｐｈｙｓｉｃａｌ  ｖａｐｏｒ  ｄｅｐｏｓｉｔｉｏｎ）、エッチング、予洗浄、化学洗浄、ＲＴＰといった熱処理、プラズマ窒化、ガス抜き、配向、ヒドロキシル化、及び他の基板処理が含まれる。クラスタツール上のチャンバ内でプロセスを実行することにより、その次の膜を堆積させる前に酸化することなく、空気中の不純物による基板の表面汚染を回避することが可能である。
【０１０６】
１つ以上の実施形態によれば、基板は、連続的に真空または「ロードロック（ｌｏａｄ  ｌｏｃｋ）」条件下にあり、１のチャンバから次のチャンバへ移動されるときに、周囲空気に曝されない。ゆえに、移送チャンバは、真空下にあり、真空圧力のもとで「ポンプダウン（ｐｕｍｐｅｄ  ｄｏｗｎ）」される。処理チャンバ又は移送チャンバ内には、不活性ガスが存在しうる。幾つかの実施形態では、基板の表面上に層を形成した後に、反応物の一部又は全部を除去するために、パージガスとして不活性ガスが使用される。１つ以上の実施形態によれば、パージガスが堆積チャンバの出口で噴射され、反応物質が、堆積チャンバから移送チャンバ及び／又は追加の処理チャンバに移動することが防止される。このようにして、不活性ガスの流れが、チャンバの出口でカーテンを形成する。
【０１０７】
処理中に、基板は加熱又は冷却されうる。このような加熱又は冷却は、限定されないが、基板支持体（例えばサセプタ）の温度を変化させること、及び加熱又は冷却されたガスを基板表面に流すことを含む任意の好適な手段によって達成されうる。幾つかの実施形態では、基板支持体は、基板温度を導電的に変化させるよう制御することが可能なヒータ／クーラを含む。１つ以上の実施形態において、基板温度を局所的に変えるために、利用されるガス（反応性ガス又は不活性ガス）が加熱又は冷却される。幾つか実施形態では、ヒータ／クーラが、基板温度を対流によって変えるために、チャンバ内部で基板表面に隣接するように配置される。
【０１０８】
基板は、処理中に、静止していることも、回転することも可能である。回転する基板は、連続的に、又は非連続に段階的に回転しうる。例えば、処理全体を通して基板を回転させてもよく、又は、様々な反応性ガス又はパージガスへの曝露の合間に基板を少しずつ回転させてもよい。処理中に基板を（連続的にまたは段階的に）回転させることは、例えば、ガス流形状の局所的な変動の影響を最小限に抑えることで、より均一な堆積またはエッチングの生成を支援しうる。
【０１０９】
以上の説明は本開示の実施形態を対象としているが、本開示の基本的な範囲から逸脱することなく本開示の他の実施形態及び更なる実施形態が考案されてもよく、本開示の範囲は、以下の特許請求の範囲によって決定される。
【図１】
2021507517.tif 000003
【図２】
2021507517.tif 000004
【図３】
2021507517.tif 000005
【図４】
2021507517.tif 000006
【図５】
2021507517.tif 000007
【図６】
2021507517.tif 000008
【図７】
2021507517.tif 000009
【図８】
2021507517.tif 000010
【図９】
2021507517.tif 000011
【図１０】
2021507517.tif 000012
【図１１】
2021507517.tif 000013
【図１２】
2021507517.tif 000014
【図１３】
2021507517.tif 000015
【図１４Ａ】
2021507517.tif 000016
【図１４Ｂ】
2021507517.tif 000017
【図１５】
2021507517.tif 000018
【図１６】
2021507517.tif 000019
【図１７】
2021507517.tif 000020
【国際調査報告】
2021507517.tif 000021
2021507517.tif 000022